(57)【要約】【課題】  デザイン性やファッション性を有する織物を表皮に使用することができ、しかも、雨水等の侵入を抑制するとともに排水することにより速やかに乾燥させることができる速乾クッションを提供する。【解決手段】  クッション材２が織物３で被覆されていて、織物３は、撥水剤を塗布又は含浸させた撥水加工が施され、クッション材２の底面に設けた底板５に周縁が固着され、織物３とクッション材２との間には防水シート４を介在させ、この防水シート４の端縁部を底板５の周縁に固着され、底板５の周縁には排水口５ａが形成されて、防水シート４と織物３との間に流入した水を排水させる。【選択図】図１
0003206381.tif 000002
【実用新案登録請求の範囲】
【請求項１】
クッション材を織物で被覆してなるクッションであって、
前記織物は、撥水剤を塗布又は含浸させた撥水加工が施され、前記クッション材の底面に設けた底板に周縁が固着され、
前記織物と前記クッション材との間には防水シートを介在させ、この防水シートの端縁部を前記底板の周縁に固着され、
前記底板の周縁には排水口が形成されて、前記防水シートと前記織物との間に流入した水を排水させる速乾クッション。
【請求項２】
排水口は、底板の端面から陥没させて形成され、前記排水口の内面には防水シートを沿わせるとともに開口に織物を被覆し、前記防水シートとの間に空間部を形成した請求項１に記載の速乾クッション。
【請求項３】
クッション材は、透水性及び弾性を有する三次元立体構造網状体とした請求項１に記載の速乾クッション。
【考案の詳細な説明】
【技術分野】
【０００１】  本考案は、特に、屋外に設置される椅子の座部に使用されるクッションに関し、詳しくは、降雨等やシャワー等の水が掛かっても速やかに乾燥可能な速乾クッションに関する。
【背景技術】
【０００２】  特に、屋外に設置される椅子は、降雨によって雨水がかかり、着座が可能になるまでに長時間を要することから、プラスチック製或いは金属製の椅子が多用されている。ところが、これらのプラスチック製或いは金属製の椅子は、クッション性に乏しいことから、長時間の使用に耐えられず、座り心地を著しく損ねていた。【０００３】  クッション性を有する座部を備えた全天候型の椅子は、特開２００３−２０４８３５号公報（特許文献１）に開示されている。この椅子は、座部に設けた座部クッションを、座部に載置した透水性のクッション体と、下側を除いてこのクッション体を覆う表皮によって構成し、雨天の際などに表皮の回りの隙間や表皮を通して雨水がクッション体に浸入したときに、この雨水をクッション体の下部まで通り抜けるようにして排水している。
【先行技術文献】
【特許文献】
【０００４】
【特許文献１】特開２００３−２０４８３５号公報
【考案の概要】
【考案が解決しようとする課題】
【０００５】  上記特許文献１に開示された椅子は、クッション体を非透水性の表皮によって覆うことにより、雨水の浸入を阻止している。椅子はデザイン性やファッション性が求められ、通常の場合は、座部に好みの色彩や柄を有する織物を使用することが望まれている。しかしながら、特許文献１に開示されているような非透水性の表皮は、織物と異なることから、デザイン性やファッション性を阻害するものであった。また、ファッション性等を有する織物は、一般に保水性を有していることから、雨天の際には織物に雨水が浸透するために雨上がり時に着座すると衣類等を濡らしてしまう問題があった。さらに、一旦保水した織物は、乾燥するまでに長時間を要するため、その間に使用できない問題があった。【０００６】  本考案が解決しようとする課題は、デザイン性やファッション性を有する織物を表皮に使用することができ、しかも、雨水等の侵入を抑制するとともに排水することにより速やかに乾燥させることができる速乾クッションを提供することにある。
【課題を解決するための手段】
【０００７】  そこで、本考案による速乾クッションは、クッション材が織物で被覆されていて、前記織物は、撥水剤を塗布又は含浸させた撥水加工が施され、前記クッション材の底面に設けた底板に周縁が固着され、前記織物と前記クッション材との間には防水シートを介在させ、この防水シートの端縁部を前記底板の周縁に固着され、前記底板の周縁には排水口が形成されて、前記防水シートと前記織物との間に流入した水を排水させることを要旨としている。【０００８】  また、排水口は、底板の端面から陥没させて形成され、前記排水口の内面には防水シートを沿わせるとともに開口に織物を被覆し、前記防水シートとの間に空間部を形成している。【０００９】  さらに、クッション材は、透水性及び弾性を有する三次元立体構造網状体とすることが望ましい。
【考案の効果】
【００１０】  本考案による速乾クッションによれば、クッション材を被覆する織物が撥水加工されているので、雨天時の雨水の浸入を阻止することが可能となる。長時間又は激しい雨の場合に、僅かに雨水が織物を通過することがあっても、織物とクッション材との間に防水シートが介在されているので、クッション材まで到達することなく、しかも、防水シートの表面を伝わって底板の周縁に形成された排水口から速やかに排水するので、織物とクッション材が雨水等によって蓄積することを未然に防止することができる。このため、速乾クッションは雨水等が殆ど侵入しないことから、乾燥させるまでの時間を著しく短縮させるので速乾性を持たせることが可能となる。さらに、クッション材を被覆する織物として、使用者の好みに応じたデザインやファッションを自由に選択することができるので、広範な用途に使用することが可能となる。また、織物によってクッション材が被覆されているので、座り心地を向上させることができる。【００１１】  また、底板の端面から陥没させて形成した排水口は、内面に防水シートを沿わせているので、雨水等が底板に侵入することなく排水させることが可能となる。さらに、排水口の開口に織物を被覆して防水シートとの間に空間部を形成しているので、雨水等を円滑に排水することが可能となる。【００１２】  さらに、クッション材として、透水性及び弾性を有する三次元立体構造網状体とすることにより、屋外に設置される椅子であっても、クッション性を向上させて座り心地を大幅に良好なものにすることができ、使用者を満足させることが可能となる。
【図面の簡単な説明】
【００１３】
【図１】  本発明に関わる速乾クッションを示す断面図である。
【図２】  速乾クッションの底板を示す底面図である。
【図３】  （Ａ）（Ｂ）は、水の挙動を示す説明図である。
【図４】  速乾クッションを椅子に装着した状態を示す側断面図である。
【図５】  速乾クッションの排水口を示す要部拡大断面図である。
【図６】  速乾クッションの乾燥状態の一例を示す側面図である。
【考案を実施するための形態】
【００１４】  本考案による速乾クッションは、クッション材が織物で被覆されていて、前記織物は、撥水剤を塗布又は含浸させた撥水加工が施され、前記クッション材の底面に設けた底板に周縁が固着され、前記織物と前記クッション材との間には防水シートを介在させ、この防水シートの端縁部を前記底板の周縁に固着され、前記底板の周縁には排水口が形成されて、前記防水シートと前記織物との間に流入した水を排水させるように構成されている。
【００１５】  以下、図面に基づいて本考案の実施例を詳細に説明する。図１に示す速乾クッション１は、クッション材２と、織物３、この織物３とクッション材２との間に介在させた防水シート４、及び、底板５によって構成されている。この速乾クッション１は、一例として、後述する椅子６の座部に使用される。
【００１６】  クッション材２は、例えば、三次元立体構造網状体からなる立体網状クッション材が好適である。この立体網状クッション材は、弾性のある弾性合成樹脂（ポリエーテルエステル系繊維）などからなり、弾性合成樹脂からなる中実または中空な連続線条体を曲がりくねらせ多数の線条体ループを形成し、線条体ループが相互に接合された三次元立体構造網状体であり、多数の線条体ループの間に隙間が形成されていることから、この隙間に水を通過させることができるので、優れた透水性を備えている。また、必要な弾性力や通気性を有している。そして、三次元立体構造網状体の密度は２０ｋｇ〜４０ｋｇ／立方メートル程度に設定され、この密度によって所望の硬さ或いは反発力を得ることができる。この立体網状クッションとしては、市販されている商品名「ブレスエアー」（東洋紡株式会社製）を使用することができる。なお、クッション材２としては、透水性ウレタンフォームなどの他の素材を使用しても良い。
【００１７】  このクッション材２は、図１に示すように、中心部分を頂点とする略半球状に形成されている。そして、クッション材２の底面は、底板５に当接させている。この底板５は、木材、合成樹脂等の素材によって椅子の座部に対応させた形状の平面状に形成されている。
【００１８】  底板５の周縁には、図２に示すような排水口５ａが底板５の４辺に各々複数個づつ形成されている。排水口５ａは、底板５の端面から内方に向けて略半円状に陥没させる形状に形成されている。さらに、底板５の中央部には、複数個の空気流通孔５ｂが形成されている。
【００１９】  上述したクッション材２の表面には、防水シート４が被覆され、防水シート４の端縁部は底板５の周縁に固着されている。そして、底板５に形成された排水口５ａに対応する防水シート４の端縁部近傍は、排水口５ａの内面に沿わせている。防水シート４としては、非透水性の塩化ビニール、ポリエステル、ナイロン、テフロン、シリコン等の素材であれば、適宜選択して使用することができる。
【００２０】  このようにクッション材２の表面に被覆した防水シート４には、織物３が被覆されている。この織物３の周縁は底板５に固着されている。そして、織物３の周縁近傍は、排水口５ａの開口を被覆していることから、防水シート４との間には空間部９が形成される。なお、底板５の周縁部の織物３及び防水シート４を固着した個所には、端部を補強のための補強帯７が固着されている。さらに、空間部９に対応する位置には排水部材８が設けられている。この排水部材８は、例えばハトメを使用することが好ましく、中央の透孔が排水口５ａと外部とを連通させ、排水口５ａに溜まる水を外部に排水するようにしている。
【００２１】  織物３は、椅子用の織布が使用され、多種の織布から使用者の希望に応じた色彩、柄、織り方等であって、椅子に適した任意の織布から選択される。この織物３には、フッ素、シリコン、或いは二酸化ケイ素等の撥水剤を表面に塗布または含浸させる周知の撥水加工が施される。これによって織物３は接触角が１５０度程度の撥水効果を得ることができ、雨水等を撥水することが可能となる。
【００２２】  以上のように構成された速乾クッション１は、図４に示すように、例えば椅子６に装着される。椅子６は、一般に用いられる椅子の構成であり、詳細な説明は省略する。椅子６は、クッション装着部６１及び背もたれ装着部６２と、２本の前脚部６３及び２本の後脚部６４とを有している。クッション装着部６１は前脚部６３及び後脚部６４によって支持され、背もたれ装着部６２は後脚部６４によって支持されている。クッション装着部６１は略四角形の枠状に形成され、中間には、複数本の支持部材６１ａが設けられていて、その間は上下方向に貫通している。そして、速乾クッション１は、クッション装着部６１の内周部の段差及び支持部材６１ａの上に載置される。速乾クッション１の底板５と支持部材６１ａには、例えば面ファスナーを取り付けることにより着脱自在に固定される。なお、クッション装着部６１の内周部の速乾クッション１の排水口５ａに対応した位置には、凹所６１ｂを形成し、排水口５ａから排水される水を流通させるようにすることが望ましい。
【００２３】  次に、本考案による速乾クッション１の作用について説明する。図３に示すように、速乾クッション１の上方から雨水やシャワー等の水２０が織物３に落下する。通常の場合は図３（Ａ）に示すように、撥水効果によって水滴２０ａとなって落下する。ところが、水２０が大量の場合や長時間落下した場合には、希に織物３の隙間を通って侵入することがある。この水２０は、図３（Ｂ）に示すように、防水シート４に到達するが、防水シート４が非透水性を有していることから、クッション材２への侵入が阻止される。防水シート４の表面まで到達した水２０は、速乾クッション１が略半球状に形成されていることから防水シート４と織物３の間を通り、斜面に沿って速乾クッション１の側面方向に流れる。その後、図５に示すように、水２０は排水口５ａに到達して排水される。
【００２４】  このように、水２０が大量の場合や長時間落下した場合、希に織物３内に侵入した場合であっても、水２０をクッション材２に侵入させることなく排水することから、短時間で乾燥させることができる。
【００２５】  通常の場合、上述したように、撥水加工した織物３のみの撥水効果で乾燥時間を短縮させることが可能であり、少量の水が織物３から侵入した場合であっても、防水シート４によってクッション材２への侵入を阻止し排水するので、短時間に乾燥させることが可能となる。使用者によって、完全に乾燥することを希望する場合は、図６に示すように、壁３０等に立てかけて乾燥させることができる。この場合、防水シート４まで到達した水２０は、傾斜によって下方に落下し、やがて速乾クッション１の一辺に集中的に到達する。その後、上述したように、水２０は下方の排水口５ａから速やかに排水される。この結果、乾燥時間を短縮することが可能となる。
【００２６】  以上、本発明を実施例に基づき具体的に説明したが、本発明は上記実施例に限定されるものではなく、その要旨を逸脱しない範囲で種々変形可能であることは言うまでもない。前述した実施例においては、速乾クッションを椅子に適用した例を説明したが、椅子以外に用いられる一般的なクッションに提要可能である。また、速乾クッションは、円形或いは多角形にしても良い。
【符号の説明】
【００２７】  １    速乾クッション
２    クッション材
３    織物
４    防水シート
５    底板
６    椅子
５ａ  排水口
７    空間部
２０  水
【図１】
0003206381.tif 000003
【図２】
0003206381.tif 000004
【図３】
0003206381.tif 000005
【図４】
0003206381.tif 000006
【図５】
0003206381.tif 000007
【図６】
0003206381.tif 000008